(57)【要約】      （修正有）【課題】球体の適正な大きさを選定し、柔軟素材としてＰＰ綿等合成繊維、毛糸、綿等の天然繊維、若しくは、粒状のスチロール剤樹脂からなる充填材を組み合わせる事によって程よいクッション性を保ちながら、球体による指圧効果を得られる新規な指圧用クッション指圧用枕体及び指圧用足元マットを提供する。【解決手段】クッション材１の内部には６ｃｍ径の発泡スチロール性の球体３を２個内蔵しているが、この球体は、中心部に１ｃｍ径の芯孔４を設けて芯材５としてゴム材を通し、球体の外側４カ所で約２ｃｍ程度の平板状固定具（図示せず）を介してゴム材を固定している。上記球体の素材としては、発泡スチロール材の他にプラスチック材やゴム素材から球体を用いることができ、サイズ径としては３〜１５ｃｍ、好ましくは５〜８ｃｍの大きさにしてある。【選択図】図２
0003120275.tif 000002
【実用新案登録請求の範囲】
【請求項１】
芯孔を有する２個以上の球体に一本の芯材を通して連結した球体を内蔵するクッション材において、サイズが３〜１５ｃｍの外周と芯孔を有する球体を２個以上用いて一本又は複数の芯材を挿通して球体の両端部で固定具を介して結束させて離間を設け、表面素材として天然繊維又は合成繊維からなる袋体に前記球体と繊維素材又は粒子状樹脂等からなる充填材を充填してなる指圧用クッション材。
【請求項２】
前記球体は、発泡スチロール材、プラスチック材、或いはゴム素材から選択される球体であることを特徴とする請求項１記載の指圧用クッション材。
【請求項３】
前記クッション材の両側部に、伸び縮み可能な素材の紐体を取付けてなる事を特徴とする請求項１記載の指圧用クッション材。
【請求項４】
サイズが３〜１５ｃｍの外周と芯孔を有する球体を２個以上用いて一本又は複数の芯材を挿通して球体の両端部で固定具を介して結束させて離間を設け、表面素材として天然繊維又は合成繊維からなる袋体に前記球体と繊維素材又は粒子状樹脂等からなる充填材を充填してなる指圧用枕体。
【請求項５】
サイズが３〜１５ｃｍの外周と芯孔を有する球体を２個以上用いて一本又は複数の芯材を挿通して球体の両端部で固定具を介して結束させて離間を設け、表面素材として天然繊維又は合成繊維からなる袋体に前記球体と繊維素材又は粒子状樹脂等からなる充填材を充填してなる指圧用足元マット。
【考案の詳細な説明】
【技術分野】
【０００１】
本考案は、指圧用器具に関し、更に詳しくは、事務用椅子や自動車の運手席に取付けて、事務作業中や運転中に腰部や背中の指圧やマッサージを自分の身体を移動させて簡易に受けうる指圧用クッション材や、枕体、或いは足元マットとして頭部や足裏を球体を利用してマッサージ可能な指圧用枕体及び指圧用足元マットである。
【背景技術】
【０００２】
クッション材内部に、指圧用の球体を内蔵するものとして、実開平５−６３５４４号「指圧用クッション」は、「芯穴をもつ二個の球に一本の可撓芯材を通して、両球の間隔を腰骨の左右の灸所の間隔に合わせ、その両球を一体の枕状柔軟緩衝材の芯部にはめ込み、上記緩衝材をカバーで包んだクッション本体からなり、この本体から突出す前記の可撓芯材の両端にベルトを着脱可能に連結したことを特徴とする指圧用クッション」が開示されている。
【特許文献１】実開平５−６３５４４号
【考案の開示】
【考案が解決しようとする課題】
【０００３】
上記指圧用クッションは、事務用椅子や自動車の運手席に取付けて、事務作業中や運転中に腰部や背中の指圧やマッサージを簡易に受けうる点で優れているが、球体サイズや柔軟緩衝材によって痛さを感じたり、使い難さ等があった。
【課題を解決するための手段】
【０００４】
本考案者は斯かる課題を解決するために鋭意研究したところ、球体の適正な大きさを選定し、柔軟素材として繊維素材や粒子状樹脂等からなる充填材を組み合わせる事によって程よいクッション性を保ちながら、球体による指圧効果を得られる新規な指圧用クッションを開発する事ができた。
【０００５】
すなわち本考案の第一は、芯孔を有する２個以上の球体に一本の芯材を通して連結した球体を内蔵するクッション材において、サイズが３〜１５ｃｍの外周と芯孔を有する球体を２個以上用いて一本又は複数の芯材を挿通して球体の両端部で固定具を介して結束させて離間を設け、表面素材として天然繊維又は合成繊維からなる袋体に前記球体と繊維素材又は粒子状樹脂等からなる充填材を充填してなる指圧用クッション材である。
【０００６】
本考案の第二は、前記球体は、発泡スチロール材、プラスチック材、或いはゴム素材から選択される球体であることを特徴とする請求項１記載の指圧用クッション材である。
【０００７】
本考案の第三は、前記クッション材の両側部に、伸び縮み可能な素材の紐体を取付けてなる事を特徴とする請求項１記載の指圧用クッション材である。
【０００８】
本考案の第四は、サイズが３〜１５ｃｍの外周と芯孔を有する球体を２個以上用いて一本又は複数の芯材を挿通して球体の両端部で固定具を介して結束させて離間を設け、表面素材として天然繊維又は合成繊維からなる袋体に前記球体と繊維素材又は粒子状樹脂等からなる充填材を充填してなる指圧用枕体である。
【０００９】
本考案の第五は、サイズが３〜１５ｃｍの外周と芯孔を有する球体を２個以上用いて一本又は複数の芯材を挿通して球体の両端部で固定具を介して結束させて離間を設け、表面素材として天然繊維又は合成繊維からなる袋体に前記球体と繊維素材又は粒子状樹脂等からなる充填材を充填してなる指圧用足元マットである。
【考案の効果】
【００１０】
本考案の指圧用クッション材は、内部の緩衝材としてプラスチックをポリプロピレンと合わせてマイクロファイバー状にしたＰＰ綿等合成繊維を始め、毛糸、綿等の天然繊維、若しくは、粒状のスチロール剤樹脂を用いるために、軽量であり、且つ柔軟性に優れているために、背中に接触した場合に柔らかを感じ得るものである。
【００１１】
また、球体としてサイズ径を３〜１５ｃｍ、好ましくは５〜８ｃｍの大きさにしてあるために、身体を左右に動かす事によって背中に球体が接触した場合に程良い圧迫感を受けることが可能となっている。
【００１２】
本考案の枕体は、内部に柔軟性に富む緩衝材を用いるために頭部の首筋に柔らかく当たり、また球体と首筋との間のクッションとして柔らかさを付与するために首筋に痛みを感じないで指圧を受けることが可能となっている。
【００１３】
本考案の足元マットも、マット内部に球体を内蔵しているために、特に風呂上がり等に足裏を球体の上部に乗せて前後左右に動かすことによって簡易に指圧を受ける事ができるようになっている。
【考案を実施するための最良の形態】
【００１４】
以下、図面を参照にして本考案の詳細を説明するが、本考案の範囲はこれらに限定されるものではない。
【実施例１】
【００１５】
図１は、本考案に係る指圧用クッション材の一例を示す斜視図である。この指圧用クッション材１はハート型の形状を有し、最大横幅７０ｃｍ、最大縦幅６０ｃｍ、最大厚み１２ｃｍとなっている。
【００１６】
クッション材１の表・裏面の素材として綿とアクリル材とが混合するＴＣ綿を用い、表・裏面の端部を縫製して袋形状としたが、前記の他に皮素材、天然繊維又は合成繊維でも同様な効果を有することを確認している。
【００１７】
図２は、図１における断面図であるが、クッション材１の内部には６ｃｍ径の発泡スチロール性の球体３を２個内蔵しているが、この球体は、中心部に１ｃｍ径の芯孔４を設けて芯材５としてゴム材を通し、球体の外側４ヶ所で約２ｃｍ程度の平板状固定具（図示せず）を介してゴム材を固定している。
【００１８】
上記球体の素材としては、発砲スチロール材の他にプラスチック材やゴム素材から球体を用いることができ、サイズ径としては３〜１５ｃｍ、好ましくは５〜８ｃｍの大きさにしてある。
【００１９】
上記球体３を芯材５で連結した後、袋体の内部に入れて周囲をプラスチックをポリプロピレンと合わせてマイクロファイバー状にしたＰＰ綿等合成繊維を充填し、緩衝材６としたが、前記合成繊維の他に、毛糸、綿等の天然繊維、若しくは、粒状のスチロール剤樹脂を用いても同様の効果を得ることを確認している。
【００２０】
裏面側には、伸び縮み可能なゴム材や布紐からなる紐体２を縫合部の端部に縫合固着して、これらの紐体２で椅子や運転席に取付け可能としている。
【００２１】
図３及び図４は、本実施例と同様な素材や球体を用い、外観形態を四角形のクッション或いは果物形状にしたクッションを示す斜視図であるが、本考案のクッション材として外観を人形や動物形状にしてもよい。
【００２２】
なお、実施例１では、球体を２個用いた場合の例示をしたが、例えば球体を３個用い中心部に１ｃｍ径の芯孔４を設けて芯材５として一本のゴム材を通し、球体の外側６ヶ所で約２ｃｍ程度の平板状固定具（図示せず）を介してゴム材を固定することもできる。
【００２３】
さらに、実施例１で示したゴム材を通して固定した２個の球体を複数個用いて、指圧部を複数個所とした指圧用クッション材とすることもできる。
【実施例２】
【００２４】
図５は、本考案に係る指圧用枕体を示す平面図である。この枕体は一例として、左右外形が１５ｃｍ、横幅３０ｃｍの円柱タイプの枕であり、内部に１０ｃｍ形の発泡スチロール性の球体３を２個内蔵しているが、この球体は、実施例１と同様に中心部に１ｃｍ径の芯孔４を設けて芯材５としてゴム材を通し、球体の外側４ヶ所で約２ｃｍ程度の平板状固定具（図示せず）を介してゴム材を固定している。
【００２５】
上記球体３を芯材５で連結した後、袋体の内部に入れて周囲をプラスチックをポリプロピレンと合わせてマイクロファイバー状にしたＰＰ綿等合成繊維を充填し、緩衝材６としたが、前記合成繊維の他に、毛糸、綿等の天然繊維、若しくは、粒状のスチロール剤樹脂を用いても同様の効果を得ることを確認している。
【００２６】
球体の数については、実施例１と同様に３個、又は、２個に結んだ球体を複数個用いて、指圧部を複数個所とした指圧用枕体とすることもできる。
【実施例３】
【００２７】
図６は、本考案に係る指圧用足元マットを示す平面図である。この足元マットは一例として、縦・横が８０ｃｍずつ大きさで、中央部に３ｃｍの発泡スチロール性の球体３を２個内蔵しているが、この球体は、実施例１と同様に中心部に１ｃｍ径の芯孔４を設けて芯材５としてゴム材を通し、球体の外側４ヶ所で約２ｃｍ程度の平板状固定具（図示せず）を介してゴム材を固定している。
【００２８】
上記球体３を芯材５で連結した後、袋体の内部に入れて周囲をプラスチックをポリプロピレンと合わせてマイクロファイバー状にしたＰＰ綿等合成繊維を充填して緩衝材６とした。
【００２９】
表・裏面材として吸水に富む合成繊維を用い、充填材を充填した厚みを約２ｃｍ程にし、球体部内蔵部を約３ｃｍ以上として、球体部が若干表側に膨らむようにして足裏を指圧可能とする構造としている。
【００３０】
球体の数については、実施例１や実施例２と同様に３個、又は、２個に結んだ球体を複数個用いて、指圧部を複数個所とした指圧用足元マットとすることもできる。
【図面の簡単な説明】
【００３１】
【図１】本考案に係る指圧用クッション材の一例を示す斜視図である。
【図２】図１における断面図である。
【図３】他のクッション材を示す斜視図である。
【図４】他のクッション材を示す斜視図である。
【図５】本考案に係る指圧用枕体の一例を示す平面図である。
【図６】本考案に係る指圧用足元マットの一例を示す平面図である。
【符号の説明】
【００３２】
１・・・クッション材
２・・・紐体
３・・・球体
４・・・芯孔
５・・・芯材
６・・・緩衝材
７・・・クッション材（四角形状）
８・・・クッション材（果物形状）
９・・・枕体
１０・・足元マット
【図１】
0003120275.tif 000003
【図２】
0003120275.tif 000004
【図３】
0003120275.tif 000005
【図４】
0003120275.tif 000006
【図５】
0003120275.tif 000007
【図６】
0003120275.tif 000008